(57)【要約】      （修正有）【課題】熱干渉の発生を避け、放熱効率を向上させた側面取付け式回転灯を提供する。【解決手段】一つの本体と、複数のＬＥＤ光源と、一つの拡散器と、一つのコネクタと、を備える。本体の一面は気流通路を有し、本体もう一つの面はＬＥＤ光源を設け、拡散器によってＬＥＤ光源を覆い、コネクタは連接部を介して本体の一端に設け、かつＬＥＤ光源と電気接続する。ＬＥＤ光源使用の熱エネルギーを気流通路を利用してすばやく発散する。【選択図】図１
0003179750.tif 000002
【実用新案登録請求の範囲】
【請求項１】
側面取付け式回転灯であって、
Ｕ形構造体を形成し、一端は連接部を設け、他端は一対の支持アームを延設し、前記一対の支持アームの間は気流通路を形成していて、かつ一面は取付け面を形成する本体と、
前記取付け面に設ける複数のＬＥＤ光源と、
半円弧状マスク体構造を形成し、前記本体のＬＥＤ光源に対応する一側に設ける拡散器と、
前記本体の前記連接部に設けていて、かつＬＥＤ光源と電気接続するコネクタと、
を備える、側面取付け式回転灯。
【請求項２】
複数の放熱部をさらに有し、前記ＬＥＤ光源に対応する本体のもう一つの面に設けることを特徴とする、請求項１記載の側面取付け式回転灯。
【請求項３】
前記放熱部は間隔置きに設置する塊状構造体であることを特徴とする、請求項２記載の側面取付け式回転灯。
【請求項４】
前記放熱部は間隔置きに設置するシート状構造体であることを特徴とする、請求項２記載の側面取付け式回転灯。
【請求項５】
前記コネクタは前記連接部に対応して枢転部を設けられ、前記枢転部は前記連接部と相互に枢接していて、３６０度回転自在であることを特徴とする、請求項１記載の側面取付け式回転灯。
【考案の詳細な説明】
【技術分野】
【０００１】
本考案は照明灯具の分野に関し、特に気流通路を設けた、有効に熱干渉を解決できる側面取付け式回転灯に関する。
【背景技術】
【０００２】
近年の発光ダイオード（Ｌｉｇｈｔ−ｅｍｉｔｔｉｎｇ  ｄｉｏｄｅ，ＬＥＤ）の発展は日進月歩であり、低消費電力、高発光効率、破損しにくく使用寿命が長いなどの長所を有し、照明にＬＥＤを大量使用した結果、生活品質が大幅に向上されている。
【考案の概要】
【考案が解決しようとする課題】
【０００３】
しかし、ＬＥＤを使用するときの発生熱は熱干渉を生じ、照明の光減衰及び寿命を大幅に短縮するなどの問題を引き起こす。よって、放熱問題はつねに当業者が改善を求める欠点である。
【０００４】
一般のＬＥＤ照明灯具、ＬＥＤ電球は放熱効果を向上するため、伝熱性の良い金属部材の銅金属またはアルミ金属などを使用して放熱フィンに仕上げて伝熱面積を増やす。実務において、放熱フィンはＬＥＤの背面に取り付けているため、限られた熱エネルギーしか伝導できない。さらに、ＬＥＤの正面は美観、防水、防塵または光拡散効果を図るため拡散器を覆い被せられ、そのため、ＬＥＤ正面から発生する熱エネルギーは放熱フィンまたは熱対流方式により発散することはできない。よって、放熱フィンの放熱効果も良くない。加えて、放熱フィンを過大に設計することで、製造及び材料コストがかさばるほか外部の美観性も大きく損なわれる。
【０００５】
さらに、ＬＥＤ光源は直射光であり、光線は指向性を有するほか、固定の区域への投射に応用するものがほとんどのため、照明範囲も一定に限られる。この点はＬＥＤ電球使用の大きな欠点である。
【課題を解決するための手段】
【０００６】
よって、呼応する灯具の設計と組合せることによって、実質的な照明効果を充分に発揮し、ＬＥＤ光源の長所を現実の生活に充分反映できる。
【０００７】
本考案の目的は、Ｕ形の本体に気流通路を設け、複数のＬＥＤ光源の発生熱をすばやく発散させることで、熱干渉の発生を避ける、側面取付け式回転灯を提供することである。
【０００８】
本考案のつぎの目的は、本体には複数の放熱部を設け、ＬＥＤ光源の発生熱を有効に発散させ、放熱効率を大幅に向上し使用寿命を延長できる、側面取付け式回転灯を提供することである。
【０００９】
本考案のもう一つの目的は、本体とコネクタとの間は３６０度回転する構造を設計し使用時の照明角度を調節し照明効果を向上できる、側面取付け式回転灯を提供することである。
【００１０】
前述した目的を達成するため、本考案の側面取付け式回転灯は、一つの本体と、複数のＬＥＤ光源と、一つの拡散器と、一つのコネクタと、を備える。本体はＵ形構造体を形成し、一端は連接部を設け、他端は一対の支持アームを延設され、前記一対の支持アームの間は気流通路を形成し、本体の一面は取付け面を形成し、複数のＬＥＤ光源は取付け面に設ける。拡散器は半円弧状のマスク体を形成して、本体がＬＥＤ光源に対応する位置側に設ける。コネクタは本体の連接部に設けていて、かつＬＥＤ光源と電気接続する。そのうち、本体は銅金属、アルミ金属またはセラミックのいずれかを選択して仕上げる。そのうち、コネクタはねじ式を選択し螺合方式により従来の電球ソケットに締め付けることができる。
【００１１】
一実施例において、本考案の側面取付け式回転灯はＬＥＤ光源に対応して本体のもう一つの面に設ける複数の放熱部をさらに有し、放熱部は間隔置きに設ける塊状構造体または間隔置きに設けるシート状構造体である。
【００１２】
一実施例において、使用時の照明効果を向上するため、コネクタは連接部に対応して枢転部を設けられ、枢転部は連接部と相互に枢接し３６０度回転自在により、使用時の照明角度を調節できる。
【図面の簡単な説明】
【００１３】
【図１】本考案の好ましい実施例の立体分解図である。
【図２】本考案の好ましい実施例組合せ後の側面断面視図である。
【図３】本考案の好ましい実施例組合せ後の下方断面視図である。
【図４】本考案の好ましい実施例組合せ後の前方断面視図である。
【図５】本考案の好ましい実施例もう一つの実施態様である。
【考案を実施するための形態】
【００１４】
本考案の内容のさらなる理解を図るため、以下にて図面と合わせて説明する。
【実施例】
【００１５】
図１ないし４に示した、本考案の好ましい実施例の立体分解図と、組合せ後の側面断面視図と、下方の断面視図と、前方断面視図と、を参照して説明する。図示のように、本考案の側面取付け式回転灯１は一つの本体１１と、複数のＬＥＤ光源１２と、一つの拡散器１３と、一つのコネクタ１４と、を備える。
【００１６】
そのうち、本体１１は銅金属、アルミ金属またはセラミックのいずれかを選択して仕上げるＵ形構造体である。本体１１の一端は連接部１１１を有し、他端は一対の支持アーム１１２が延設されている。一対の支持アーム１１２の間は気流通路１１３を形成していて、かつ本体１１の一面は取付け面１１４（平面）を取り付けられている。
【００１７】
特に注意することは、一対の支持アーム１１２より成る気流通路１１３は単独に取付け面１１４のもう一つの面に形成され、気流通路１１３と取付け面１１４とは連絡しておらず、取付け面１１４のもう一つの面は複数の弧状の内向き爪状構造体を形成し、２つの側縁部に釣り合って設置する方式によって気流通路１１３を形成する。取付け面１１４は一対の支持アーム１１２に対応して矩形の平面を形成する。
【００１８】
ＬＥＤ光源１２は取付け面１１４に設けられている。図に示すように、ＬＥＤ光源１２は等間隔方式によりそれぞれ一対の支持アーム１１２と本体１１上の取付け面１１４に設置する。ただし、ＬＥＤ光源１２の形式、数量及び色調などは、この限りでない。ここでの説明を省略する。
【００１９】
拡散器１３は透光性のアクリルまたはプラスチックなどの部材より、半円弧状のマスク体構造を形成し、本体１１がＬＥＤ光源１２に対応する一側に設けられている。特に注意することは、拡散器１３の一対の側縁部はそれぞれ係着部１３１を設け、本体１１は係着部１３１に対応して係合溝１１５を設けて、拡散器１３を本体１１への係着に備え、組立の利便性を向上する。
【００２０】
コネクタ１４は本体１１の連接部１１１に対応して枢転部１４１を設けられ、枢転部１４１は連接部１１１と相互に枢接していて、本体１１をコネクタ１４に対して３６０度回転自在であり、コネクタ１４はＬＥＤ光源１２と電気接続する。特に注意することは、本考案のコネクタ１４は万国共通のＥ２７ねじ式、Ｅ２６ねじ式、Ｅ１７ねじ式、Ｅ１４ねじ式、Ｅ４０ねじ式またはＥ３９ねじ式のいずれかを選択する。
【００２１】
このほか、ＬＥＤ光源１２を設置した本体１１のもう一つの面は複数の放熱部１１６を設けられ、放熱部１１６は間隔置きに設置する塊状構造体または間隔置きに設置するシート状構造体であり、本体１１外面の放熱面積を増やし放熱効率を有効に向上する。
【００２２】
引き続き、図５の、本考案好ましい実施例もう一つの実施態様を参照する。図示のように、本体１１は同じく銅金属、アルミ金属またはセラミックのいずれを選択して仕上げられたＯ形構造体であり、その他の構成品及び組立方式は前述と同様のため、ここでの説明を省略する。
【００２３】
前述とおり、本考案の側面取付け式回転灯１は本体１１の気流通路１１３を利用し、拡散器１３の内部と外部とを連絡するため、ＬＥＤ光源１２使用の発生熱は放熱部１１６及び気流通路１１３を介して発散させ、熱干渉による光減衰及び寿命短縮などの問題を避ける。
さらに、本考案は連接部１１１と枢転部１４１との結合方式によって本体１１をコネクタ１４に対して３６０度に回転できる。よって、コネクタ１４を電球ソケットに締め付けていても、本考案によってＬＥＤ光源１２の照射角度を調節し照射角度及び照射範囲を大幅に向上する効果を有する。
【符号の説明】
【００２４】
１      側面取付け式回転灯
１１    本体
１１１  連接部
１１２  支持アーム
１１３  気流通路
１１４  取付け面
１１５  係合溝
１１６  放熱部
１２    ＬＥＤ光源
１３    拡散器
１３１  係着部
１４    コネクタ
１４１  枢転部
【図１】
0003179750.tif 000003
【図２】
0003179750.tif 000004
【図３】
0003179750.tif 000005
【図４】
0003179750.tif 000006
【図５】
0003179750.tif 000007